(57)【要約】      （修正有）【課題】組み合わせ掛け布団を提供する。【解決手段】組み合わせ掛け布団は、少なくとも２つの保温部１を備え、保温部１が重ねって二重層又は多層構造になるように取り外し可能に連結される。本考案において、保温部１が複数に設けられ、取り外し又は組合せによって季節に応じて適用な掛け布団を提供する。【選択図】図１
0003214667.tif 000002
【実用新案登録請求の範囲】
【請求項１】
組み合わせ掛け布団であって、
少なくとも２つの保温部（１）を備え、
前記保温部（１）は、取り外し可能に連結されて二重層又は多層構造を形成することを特徴とする組み合わせ掛け布団。
【請求項２】
隣接する保温部（１）は面ファスナーで連結される、ことを特徴とする請求項１に記載の組み合わせ掛け布団。
【請求項３】
保温部（１）ごとに磁性部材が設けられ、隣接する保温部（１）は磁性部材によって引き付けられる、ことを特徴とする請求項１に記載の組み合わせ掛け布団。
【請求項４】
隣接する保温部（１）はファスナーで連結される、ことを特徴とする請求項１に記載の組み合わせ掛け布団。
【請求項５】
隣接する保温部（１）は、スナップボタンで押し合わせて留められる、ことを特徴とする請求項１に記載の組み合わせ掛け布団。
【請求項６】
隣接する保温部（１）は、ボタンで連結される、ことを特徴とする請求項１に記載の組み合わせ掛け布団。
【請求項７】
隣接する保温部（１）は組み紐(４)を結びつけられることによって連結される、ことを特徴とする請求項１に記載の組み合わせ掛け布団。
【請求項８】
部分或いは全部の保温部（１）に複数のインフレータブル部材が設けられ、インフレータブル部材に空気入れた後、隣接する保温部（１）の間に通気孔(６)が形成される、ことを特徴とする請求項１に記載の組み合わせ掛け布団。
【考案の詳細な説明】
【技術分野】
【０００１】
本考案は、寝具用品に関し、特に組み合わせ掛け布団に関する。
【背景技術】
【０００２】
掛け布団は寝具用品であり、人体を覆う十分な長方形の布で製造され、一般的に、睡眠の時に保温するために使われている。掛け布団は通常に布団カバー或いはシートで綿製のキルトを包んで構成されている。綿で製した掛け布団はキルトと呼ぶ。キルトに加えて、羊毛、絹またはアクリル繊維および他の人工繊維で作ることもできる。
【０００３】
従来の掛け布団は、季節に応じて、厚手の合い掛け布団と薄手の肌掛け布団とが使い分けるようにしている。掛け布団の内部には充填の材料も異なっている。したがって、少なくとも2つの掛け布団が必要であり、一つは春と夏に適する薄手の掛け布団であり、もう一つは秋と冬に適する厚手の合い掛け布団である。現在、掛け布団は年中の季節にはまだ適していない。
【考案の概要】
【考案が解決しようとする課題】
【０００４】
本考案は、季節に応じて適用な組み合わせ掛け布団を提供することを目的とする。
【課題を解決するための手段】
【０００５】
本考案の上記の目的は、以下の技術的な考案によって達せされる。組み合わせ掛け布団であって、少なくとも２つの保温部を備え、前記保温部が、重ねって二重層又は多層構造になるように取り外し可能に連結される。
【０００６】
本考案において、保温部が複数に設けられ、取り外し又は組合せによって、季節に応じて適用な掛け布団を提供する。
更に、隣接する保温部は面ファスナーで連結される。
更に、保温部ごとに磁性部材が設けられ、隣接する保温部は磁性部材で引き付けられる。
更に、隣接する保温部がファスナーで連結させる。
更に、隣接する保温部がスナップボタンで押し合わせて留められる。
更に、隣接する保温部がボタンによって連結される。
更に、隣接する保温部が組み紐で結び付けられることによって連結される。
更に、部分或いは全部の保温部に複数のインフレータブル部材が設けられ、インフレータブル部材に空気入れた後、隣接する保温部の間に通気孔が形成される。
【０００７】
複数の保温部を重ねると、過熱しやすくなるが、取り外すと、寒さを感じる、インフレータブル部材に対して空気入れることによって、隣接する保温部の間に通気孔が形成され、通気孔を介して散熱を加速させ、掛け布団が適切な保温性を有する。
【考案の効果】
【０００８】
上述したとおり、本実用新案は以下の効果を有する。１）本実用新案に係る構造が簡単であり、季節に応じて適用できる。２）インフレータブル部材を用いて掛け布団の保温効果を調整できる。
【図面の簡単な説明】
【０００９】
【図１】図１は第１実施形態の構成を示す図である。
【図２】図２は実施形態２の構成を示す図である。
【図３】図３は実施形態４の構成を示す図である。
【図４】図４は実施形態６の構成を示す図である。
【図５】図５は実施形態７の構成を示す図である。
【図６】図６はエアバッグの構成を示す図である。
【符号の説明】
【００１０】
１  保温部、１１  ループ、１２  フック、２１  N極マグネットシート、２２  S極マグネットシート、３１  雌スナップボタン、３２  雄スナップボタン、４  組み紐、５  エアバッグ、５１  エアーインレット、５２  ゴム栓、５３  連結ひも、６  通気孔。
【考案を実施するための形態】
【００１１】
以下、図面を参照しながら本考案を詳細に説明する。
【００１２】
この詳細な説明は、本考案に係る実施形態の例示の説明に過ぎず、本考案を限定するものではなく、当業者が本考案の明細書を読んだ後、必要を応じて本考案の実施形態を変更することができ、本実用新案の請求の範囲内であり、本考案が保護されている。
【００１３】
下記の保温部１が普通の掛け布団を意味しており、キルトカバーとコアで構成され、キルトコアは薄手のコットンブロックで構成される。
【００１４】
実施形態１
組み合わせ掛け布団であって、図１に示すように、２つの保温部１を備え、２つの保温部１が面ファスナーで連結される。具体的には、面ファスナーがループ１１とフック１２からなり、ループ１１とフック１２とがそれぞれ２つの保温部１の対向面に固定され、面ファスナーが保温部１の表面且つ保温部１の周辺に位置して縫い付けられる。
【００１５】
実施形態２
組み合わせ掛け布団であって、図２に示すように、２つの保温部１を備え、いずれの保温部１にも磁性部材が設けられ、当該磁性部材は、一つの保温部１に固定されるN極マグネットシート２１と、もう一つの保温部１に固定されるS極マグネットシート２２とを備える。
【００１６】
実施形態３
組み合わせ掛け布団であって、２つの保温部１を備え、隣接する保温部１がファスナーで連結される。
【００１７】
実施形態４
組み合わせ掛け布団であって、図３に示すように、２つの保温部１を備え、隣接する保温部１がスナップボタンで押し合わせて留められる。スナップボタンは、一つの保温部１に固定される雄スナップボタン３２と、もう一つの保温部１に固定される雌スナップボタン３１、雄スナップボタン３２は凹部を有し、雌スナップボタン３１は凹部に対応する凸部を有する。
【００１８】
実施形態５
組み合わせ掛け布団であって、２つの保温部１を備え、隣接する保温部１がボタンで連結される。ボタンは、一つの保温部１に固定され、もう一つの保温部１にストライプ状の開口部が設けられる。
【００１９】
実施形態６
組み合わせ掛け布団であって、図４に示すように、２つの保温部１を備え、いずれの保温部１にも組み紐４が固定され、組み紐４が結びつけられることによって、２つの保温部１を連結させる。
【００２０】
実施形態７
組み合わせ掛け布団であって、図５〜６に示すように、２つの組み紐４で連結される保温部１を備え、その一つの保温部１にインフレータブル部材が接着され、当該インフレータブル部材は断面が環状であるエアバッグ５であり、エアバッグ５の中心部には通気孔６が形成され、且つ当該通気孔６はエアバッグ５が延伸する方向を沿って両端を貫通する。エアバッグ５は、エアーインレット５１を有し、ゴム栓５２で封止され、ゴム栓５２に連結ひも５３が固定され、連結ひも５３のゴム栓５２を離れる一端がエアバッグ５に固定される。
【図１】
0003214667.tif 000003
【図２】
0003214667.tif 000004
【図３】
0003214667.tif 000005
【図４】
0003214667.tif 000006
【図５】
0003214667.tif 000007
【図６】
0003214667.tif 000008